(57)【特許請求の範囲】
【請求項１】
ディスプレイと、
対象領域を特定するための情報および時間帯の入力を受けるように構成された入力ユニットと、
前記ディスプレイに前記対象領域を表示するように構成された少なくとも１つのプロセッサとを備え、
前記少なくとも１つのプロセッサは、３次元の地図情報、および太陽の位置を表す情報を用いて、前記対象領域に含まれる地点に対応する日照に関する時間として前記時間帯において前記地点が陰に覆われている時間または覆われていない時間を算出し、前記日照に関する時間が反映された日照情報を前記対象領域に表示するように構成される、携帯端末。
【請求項２】
前記携帯端末の現在地を測定するように構成された測位センサをさらに備え、
前記対象領域を特定するための情報が前記現在地である場合、前記少なくとも１つのプロセッサは、前記ディスプレイに前記現在地を示す第１マークを表示する、請求項１に記載の携帯端末。
【請求項３】
前記携帯端末の向きを測定するように構成された方位センサをさらに備え、
前記少なくとも１つのプロセッサは、前記ディスプレイに前記携帯端末の向きを示す第２マークを表示する、請求項２に記載の携帯端末。
【請求項４】
前記対象領域は、前記現在地を中心とする円形状である、請求項３に記載の携帯端末。
【請求項５】
前記対象領域は、前記現在地を中心とする扇形状であり、
前記少なくとも１つのプロセッサは、前記携帯端末の向きに応じて前記現在地を中心に前記対象領域を回転させる、請求項３に記載の携帯端末。
【請求項６】
前記少なくとも１つのプロセッサは、前記日照情報として、前記日照に関する時間に応じた第３マークを前記地点に表示する、請求項１に記載の携帯端末。
【請求項７】
前記少なくとも１つのプロセッサは、前記日照に関する時間に応じた色を用いて前記第３マークを表示する、請求項６に記載の携帯端末。
【請求項８】
前記対象領域は、複数の地点を含み、
前記少なくとも１つのプロセッサは、前記日照情報として、前記対象領域内を、前記複数の地点のそれぞれの前記日照に関する時間を用いて算出される基準値に応じた色とする、請求項１に記載の携帯端末。
【請求項９】
前記色は、透過色である、請求項７または８に記載の携帯端末。
【請求項１０】
前記少なくとも１つのプロセッサは、前記ディスプレイに前記対象領域の地図を表示する、請求項１に記載の携帯端末。
【請求項１１】
前記少なくとも１つのプロセッサは、前記ディスプレイに前記対象領域に位置する住居の間取りを表示する、請求項１に記載の携帯端末。
【請求項１２】
前記少なくとも１つのプロセッサは、前記時間帯の天気情報をさらに用いて、前記日照に関する時間を算出する、請求項１に記載の携帯端末。
【発明の詳細な説明】
【技術分野】
【０００１】
本開示は、携帯端末に関する。
【背景技術】
【０００２】
従来から、ある時刻のある対象地域における日陰分布を地図上に表示することができる装置が知られている。たとえば、特開２００５−２５８１０７（特許文献１）に記載の日陰分布地図作成装置は、メモリに記憶されている時刻毎の太陽位置情報と三次元の地図情報とを用いて、指定された時刻および該対象地域における日陰分布地図を作成する。この装置は、作成された日陰分布を用いることによって、スタート地点からゴール地点までの複数のルートのうち、個人情報または地域情報を考慮してルートを提示することができる。
【先行技術文献】
【特許文献】
【０００３】
【特許文献１】特開２００５−２５８１０７号公報
【発明の概要】
【発明が解決しようとする課題】
【０００４】
しかしながら、特許文献１の装置は、日陰分布を用いたルートの選択方法に改善の余地がある。
【課題を解決するための手段】
【０００５】
一実施の形態の携帯端末は、ディスプレイと、入力ユニットと、少なくとも１つのプロセッサとを備える。入力ユニットは、対象領域を特定するための情報および時間帯の入力を受けるように構成される。少なくとも１つのプロセッサは、ディスプレイに対象領域を表示するように構成される。少なくとも１つのプロセッサは、３次元の地図情報、および太陽の位置を表す情報を用いて、対象領域に含まれる地点に対応する日照に関する時間として時間帯において地点が陰に覆われている時間または覆われていない時間を算出し、日照に関する時間が反映された日照情報を対象領域に表示するように構成される。
【発明の効果】
【０００６】
一実施の形態によれば、対象領域に含まれる各地点の日照情報を表示することができる。
【図面の簡単な説明】
【０００７】
【図１】第１の実施形態に従う電子機器であるスマートフォンの正面の一例を示す図である。
【図２】スマートフォンの機能の一例を説明するための機能ブロック図である。
【図３】第１の実施形態に従うスマートフォンにおいて、ユーザが指定した時間帯において、対象領域に含まれる各地点の日照に関する時間が反映されたディスプレイを示す図である。
【図４】メインＣＰＵが日照情報を表示するときに作成するテーブルの一例を示す図である。
【図５】第１の実施形態においてメインＣＰＵによって行なわれる日照情報を表示する処理の一例を説明するためのフローチャートである。
【図６】第１の実施形態の変形例１において日照情報が表示されているディスプレイの一例を示す図である。
【図７】第１の実施形態の変形例１において日照情報が表示されているディスプレイの他の一例を示す図である。
【図８】第１の実施形態の変形例１において日照情報が表示されているディスプレイの他の一例を示す図である。
【図９】第１の実施形態の変形例１において日照情報が表示されているディスプレイの他の一例を示す図である。
【図１０】第１の実施形態の変形例２において日照情報が表示されているディスプレイの一例を示す図である。
【図１１】第２の実施形態においてメインＣＰＵによって行なわれる日照情報を表示する処理の一例を説明するためのフローチャートである。
【図１２】ユーザが場所取りの目的を選択した場合に日照情報が表示されているディスプレイの一例を示す図である。
【図１３】ユーザが場所取りの目的を選択した場合にメインＣＰＵによって行なわれる処理の流れの一例を説明するためのフローチャートである。
【図１４】ユーザが年間日照の目的を選択した場合に日照情報が表示されているディスプレイの一例を示す図である。
【図１５】ユーザが年間日照の目的を選択した場合にメインＣＰＵによって行なわれる処理の流れの一例を説明するためのフローチャートである。
【図１６】ユーザが部屋の日当りの目的を選択した場合に日照情報が表示されているディスプレイの一例を示す図である。
【図１７】ユーザが部屋の日当りの目的を選択した場合にメインＣＰＵによって行なわれる処理の流れの一例を説明するためのフローチャートである。
【図１８】変形例に係るスマートフォンの機能構成の一例を表わす機能ブロック図である。
【発明を実施するための形態】
【０００８】
以下、図面を参照しつつ、実施の形態について説明する。なお、以下の説明では、同一または対応する要素には同一の符号を付して、それらについての詳細な説明は繰り返さない。
【０００９】
以下では、本開示に係る携帯端末の一例としてスマートフォンについて説明する。本開示の携帯端末には、たとえば携帯電話、タブレット端末、ノート型ＰＣ（Personal  Computer）あるいはスマートウォッチなどが含まれる。
【００１０】
［第１の実施形態］
図１は、第１の実施形態に従う電子機器であるスマートフォン１００の正面の一例を示す図である。図１を参照して、スマートフォン１００は本体部の長手方向の上部にスピーカ７と、本体部の長手方向の下部にマイク６と、中央部にディスプレイ８とタッチパネル９とを備える。ディスプレイ８には、背景画像上にアイコン、ピクト、および時刻を表す文字列が表示されている。
【００１１】
ディスプレイ８には、場所入力ＧＵＩ（Graphical  User  Interface）１０１に示される「ＸＸＸ市ＹＹＹ町ＺＺ−ＷＷＷ」で特定される対象地域において、時間入力ＧＵＩ１０２に示されるＣＣ月ＤＤ日ＨＨ時ＭＭ分の時刻における日向である地点（白丸のマーク）と、日陰である地点（黒丸のマーク）が表示されている。第１の実施形態においては、第１の実施形態において地点とは、所定の間隔で地図上にそれぞれひかれる経線と緯線との交点である。たとえば外部のサーバから３次元の地図情報と太陽の位置を表す情報を取得して、建物Ｂ１〜Ｂ４および道路Ｒｄ以外に位置する各地点について、日向であるか日陰であるかがディスプレイ８に表示される。３次元の地図情報および太陽の位置を表す情報は、スマートフォン１００の記憶部に予め記憶されていてもよいし、ＵＳＢ（Universal  Serial  Bus）メモリあるいはＳＤ（Secure  Digital）カードのような着脱可能な不揮発性メモリから読み込んでもよい。マーク情報ＧＵＩ１０３において、白丸のマークが日向であり、黒丸のマークが日陰であることが示されている。倍率ボタンＧＵＩ１０４は、地図表示の倍率を変化させるためのＧＵＩである。
【００１２】
図２は、スマートフォン１００の機能の一例を説明するための機能ブロック図である。図２を参照して、このスマートフォン１００は、プロセッサであるメインＣＰＵ（Central  Processing  Unit）１と、プロセッサであるサブＣＰＵ２と、メモリ３と、カメラ５と、マイク６と、スピーカ７と、ディスプレイ８と、タッチパネル９と、無線通信回路１０と、近距離通信回路１１と、ジャイロセンサ１２と、近接センサ１３と、照度センサ１４と、アンテナ１５と、バイブレータ１６と、加速度センサ１７と、地磁気センサ１８と、ＧＰＳ（Global  Positioning  System）センサ１９とを備える。
【００１３】
メインＣＰＵ１は、スマートフォン１００の構成要素の全体を制御することができる。スマートフォン１００は、消費電力を削減するために、一定の条件が満たされるときに、ディスプレイ８等の所定の構成部への電力供給を抑制するスリープモードに移行してもよい。スリープモード時において、スマートフォン１００は、所定の制御をサブＣＰＵ２にさせて、メインＣＰＵ１の機能の一部または全部を動作させなくてもよい。メインＣＰＵ１の機能の一部または全部が動作していないとき、スマートフォン１００は、動作していないメインＣＰＵ１の機能の一部または全部をサブＣＰＵ２が代わりに実行させてもよい。スマートフォン１００は、メインＣＰＵ１およびサブＣＰＵ２を協働的に、或いは、選択的用いて各種の制御を実行してもよい。
【００１４】
サブＣＰＵ２は、主としてジャイロセンサ１２、近接センサ１３、照度センサ１４、加速度センサ１７、および地磁気センサ１８からの信号を受信して、これらのセンサによる検出結果をメモリ３に記憶させてもよい。サブＣＰＵ２は、これらのセンサからの信号を受信したことをメインＣＰＵ１に通知してもよい。メインＣＰＵ１の機能の一部または全部が動作していない時に、サブＣＰＵ２からメインＣＰＵ１にこれらのセンサからの信号を受信したことが通知されたときに、通常モードに移行してもよい。メインＣＰＵ１およびサブＣＰＵ２の少なくとも一方は、メモリ３内の上記センサによる検出結果を参照することができる。
【００１５】
メモリ３は、地図情報などの各種のデータおよびプログラムを記憶することができる。メモリ３は、制御プログラムを記憶する制御プログラム記憶部４を含む。
【００１６】
メインＣＰＵ１およびサブＣＰＵ２は、制御プログラムを実行することによって、制御部２０として機能する。
【００１７】
カメラ５は、被写体を撮影することができる。マイク６は、スマートフォン１００のユーザの音声、およびユーザが発生したスマートフォン１００への指示を表わす音などのスマートフォン１００の外部の音を入力することができる。スピーカ７は、通話相手の音声、着信音、および報知音などを出力することができる。
【００１８】
ディスプレイ８は、たとえば液晶ディスプレイによって構成されることができる。ディスプレイ８は、たとえば、有機ＥＬディスプレイ（ＯＥＬＤ：Organic  Electro-Luminescence  Display）、または無機ＥＬディスプレイ（ＩＥＬＤ：Inorganic  Electro-Luminescence  Display）等の表示デバイスであってもよい。
【００１９】
タッチパネル９は、本開示の入力ユニットに含まれ、ユーザからの入力を受けることができる。タッチパネル９は、たとえば静電容量方式のものである。タッチパネル９は、たとえば、ディスプレイ８の表面に配置されるものとしてもよい。
【００２０】
無線通信回路１０は、アンテナ１５を通じて、たとえば無線基地局または通信機能を備える他装置と通信することができる。無線通信回路によってサポートされる通信方式は、無線通信規格である。無線通信規格として、たとえば、２Ｇ、３Ｇ、４Ｇ、５Ｇ等のセルラーフォンの通信規格がある。セルラーフォンの通信規格として、たえば、ＬＴＥ（Long  Term  Evolution）、Ｗ−ＣＤＭＡ（Wideband  Code  Division  Multiple  Access）、ＣＤＭＡ２０００（Wideband  Code  Division  Multiple  Access  2000）、ＰＤＣ（Personal  Digital  Cellular）、ＧＳＭ（登録商標）（Global  System  for  Mobile  Communications）、あるいはＰＨＳ（Personal  Handy-phone  System）などを含む。無線通信規格として、さらに、たとえば、ＷｉＭＡＸ（Worldwide  Interoperability  for  Microwave  Access）、ＩＥＥＥ８０２．１１、あるいはＢｌｕｅｔｏｏｔｈ（登録商標）などを含む。無線通信回路１０は、上述した通信規格の１つまたは複数をサポートしていてもよい。
【００２１】
近距離通信回路１１は、Ｂｌｕｅｔｏｏｔｈ方式に従って、他装置と通信することができる。近距離通信回路１１は、たとえば、ＷｉＦｉ（登録商標）（Wireless  Fidelity）規格、ＩｒＤＡ（Infrared  Data  Association）規格、あるいはＮＦＣ（Near  Field  Communication）規格に従って通信を行なってもよい。
【００２２】
ジャイロセンサ１２は、スマートフォン１００の角速度を検出することができる。メインＣＰＵ１は、ジャイロセンサ１２から出力される角速度を積分することによってスマートフォン１００の回転を検出することができる。
【００２３】
近接センサ１３は、赤外線を放射し、反射光を電流に変換することによって、スマートフォン１００の近くに物体が存在するか否かを検出することができる。
【００２４】
照度センサ１４は、スマートフォン１００に入射する光を電流に変換することによって、スマートフォン１００の置かれた場所の照度を検出することができる。
【００２５】
バイブレータ１６は、ユーザへの通知が必要なときに振動することができる。ユーザへの通知が必要なときとは、たとえば着信時、メール受信時などである。
【００２６】
加速度センサ１７は、加速度を検出することができる。加速度とは、一定時間に速度がどの方向にどれだけ変化したかを表わす量である。
【００２７】
地磁気センサ１８は、スマートフォン１００の絶対方位を検出することができる。
ＧＰＳセンサ１９は、ＧＰＳ衛星からの信号を受信することによって、スマートフォン１００の現在位置を出力することができる。
【００２８】
再び図１を参照して、図１に示されるように、ディスプレイ８には、住所「ＸＸＸ市ＹＹＹ町ＺＺ−ＷＷＷ」によって特定される対象地域において、「ＡＡ月ＢＢ日ＨＨ時ＭＭ分」の時刻における日向である地点（白丸）および日陰である地点（黒丸）が表示されている。ユーザは、対象地域におけるある時刻において、各地点が日陰であるか日向であるかを知ることができる。
【００２９】
当該地図上の各地点の日照に関する時間がわかると便利な場合がある。たとえば、年間を通して植木に適度な日照時間が確保される地点を探したい場合、部屋の窓から差し込む日光による年間の日照時間を参考に引っ越し先を探したい場合、あるいは野外でのイベントにおいて気温が上昇する午後において日陰となるような地点を探したい場合などである。
【００３０】
そこで第１の実施形態に従うスマートフォン１００は、ユーザが指定した時間帯において、対象領域に含まれる各地点の日照に関する時間が反映された日照情報をディスプレイ８に表示する。ユーザは、ディスプレイ８に表示された日照情報を見ながら、自己のニーズに適した地点を探すことができる。
【００３１】
図３は、第１の実施形態に従うスマートフォン１００において、ユーザが指定した時間帯において、対象領域に含まれる各地点の日照に関する時間が反映されたディスプレイ８を示す図である。図３に示されるように、時間入力ＧＵＩ１０２において、ユーザによって入力された時間帯「１月１日０：００〜１２月３１日２４：００」表示されている。
【００３２】
対象領域の各地点のマークＰＰは、スマートフォン１００の現在地を示すマークであり、本開示の第１マークに相当する。マークＰＤは、スマートフォン１００の向きを示すマークであり、本開示の第２マークに相当する。
【００３３】
対象領域の各地点には、当該時間帯における１日の平均日向時間に応じた色のマークが示されている。当該マークは本開示の第３マークに相当する。当該マークは、所定の操作によって表示・非表示が切り替えられる。たとえば、ユーザが当該マークをタッチパネル９上でタップした場合、マークＰＰは非表示となる。ユーザがある地点を同様にタップした場合、その地点の日向時間に応じた色のマークが表示される。それぞれの色のマークが示す時間は、マーク情報ＧＵＩ１０３において、１日の日向時間が５時間以上、４〜５時間、３〜４時間、および３時間以下の４段階に分けられて示されている。日向時間の段階は３段階以下でもよく、５段階以上でもよい。ユーザは色の違いによって、日向時間の違いを知ることができる。マークの色は、日向時間が長くなるにつれて明るくなるのが望ましい。色が徐々に明るくなるグラデーションの効果によって、ユーザは、色の違いによって日向時間の程度を直感的に知ることができる。マークの色が表す時間が日陰時間である場合には、日陰時間が長くなるにつれて色が徐々に暗くなるのが望ましい。
【００３４】
時間帯スライダーＧＵＩ１０５は、時間帯を指定するためのＧＵＩである。ユーザは、時間入力ＧＵＩ１０２に直接時間帯を入力することに加えて、時間帯スライダーＧＵＩ１０５を操作することによって時間帯を指定することができる。図３においてユーザは「年間」を指定している。ユーザの指定に応じて、時間入力ＧＵＩ１０２には、年間に相当する時間帯である「１月１日０：００〜１２月３１日２４：００」が表示されている。時間帯スライダーＧＵＩ１０５によって、ユーザは、「年間」、「冬」（１〜３月）、「春」（４〜６月）、「夏」（７〜９月）、「秋」（１０〜１２月）、および「今日」を指定することができる。たとえば、ユーザが時間帯スライダーＧＵＩ１０５によって「春」を指定した場合、時間入力ＧＵＩ１０２には、「４月１日０：００〜６月３０日２４：００」が表示され、対象領域の各地点について当該時間帯における１日の平均日向時間に応じた色のマークが表示される。ユーザが時間帯スライダーＧＵＩ１０５によって「今日」を指定した場合、時間入力ＧＵＩ１０２には、「今日」がＣＣ月ＤＤ日である場合、「ＣＣ月ＤＤ日０：００〜ＣＣ月ＤＤ日２４：００」と表示され、対象領域の各地点について当該時間帯における１日の平均日向時間に応じた色のマークが表示される。
【００３５】
時間切替コンボボックスＧＵＩ１０６は、各地点に表示されているマークが表す時間が、日向時間、あるいは日陰時間かを切り替えるためのＧＵＩである。図３においては、「日向」が選択されているため、各地点に表示されているマークは、日向時間を表している。
【００３６】
図４は、メインＣＰＵ１が日照情報を表示するときに作成するテーブルＴＢＬの一例を示す図である。図４に示されるように、テーブルＴＢＬには、ある時間帯におけるある地点の日照に関する時間が格納される。たとえば、２０１６年１月１日の地点Ｐ１における時刻Ｔ１から所定の時間が経過するまでの時間帯における日向時間は、０．１３ｈである。当該テーブルに格納する時間は、日陰時間であってもよい。
【００３７】
図５は、第１の実施形態においてメインＣＰＵ１によって行なわれる日照情報を表示する処理の一例を説明するためのフローチャートである。メインＣＰＵ１はステップ（以下ではステップを単にＳと記載する。）１０１においてユーザが入力した場所を指定する文字列および時間帯を指定する文字列を取得して処理をＳ１０２に進める。メインＣＰＵ１はＳ１０２において場所を指定する文字列から対象領域を求め、対象領域に含まれる各地点について、図４に示した表を基に日向時間あるいは日陰時間を算出して処理をＳ１０３に進める。メインＣＰＵ１は各地点に日向時間あるいは日陰時間に応じた色のマークを表示して処理を終了する。
【００３８】
以上、第１の実施形態によれば、対象領域に含まれる各地点の日照情報を表示することができる。その結果、ユーザは、ディスプレイ８に表示された日照情報を見ながら、自己のニーズに適した地点を探すことができる。
【００３９】
［第１の実施形態の変形例１］
第１の実施形態においては、ユーザが住所を表す文字列を入力することにより対象領域を特定する場合について説明した。日照情報を地図上に重ねて表示すると、地図の視認性が低下する場合がある。そこで、以下では、対象領域をスマートフォン１００の現在地に基づき限定することができる第１の実施形態の変形例１について説明する。
【００４０】
図６は、第１の実施形態の変形例において日照情報が表示されているディスプレイ８の一例を示す図である。図６に示されるように、対象領域はスマートフォン１００の現在地を中心とした円形状Ｃ１として示されている。マークＰＰの周囲には、方角を示す文字「Ｎ」（北）、「Ｅ」（東）、「Ｓ」（南）、および「Ｗ」（西）が表示されている。円形状Ｃ１の半径は、所定の値でもよいし、ユーザが入力した値でもよい。円形状Ｃ１の半径は、ユーザがタッチパネル９上で円形状Ｃ１の境界線をドラッグすることに応じて、変化するようにしてもよい。円形状Ｃ１の境界線は、ユーザがタッチパネル９上で当該境界線にタップすることによって表示・非表示を切り替えられるようにしてもよい。
【００４１】
対象領域が自己の現在地（スマートフォン１００の現在地）から所定の距離に限定されることで、地図の視認性の低下を抑制することができる。その結果、ユーザが自己のニーズに適した地点を探し易くなる。
【００４２】
図７は、第１の実施形態の変形例において日照情報が表示されているディスプレイ８の他の一例を示す図である。図７に示されるように、対象領域はスマートフォン１００の現在地を中心とした４つの扇形形状Ｓ１〜Ｓ４として表示されている。扇形形状Ｓ１〜Ｓ４は、それぞれ北、東、南、および西に対応している。扇形形状Ｓ１〜Ｓ４の内部は、それぞれに含まれる複数の地点の日照に関する時間の平均値あるいは合計値に対応する色となっている。日照に関する時間の平均値あるいは合計値は本開示の日照に関する時間を用いて算出される基準値に相当する。扇形形状Ｓ１〜Ｓ４の内部は、それぞれに含まれる複数の地点の日照に関する時間の合計に対応する色であってもよい。当該色は透過色であることが望ましい。当該色を透過色とすることで、地図上の表示が、対象領域から透けて見えるため、ユーザが地図上での位置を確認し易くなる。
【００４３】
対象領域の内部を１つの色とすることにより、ユーザは、複数の地点を含む領域の日照に関する時間を知ることができる。その結果、ユーザは、自己のニーズに適して複数の地点を含む領域を探し易くなる。
【００４４】
図８は、第１の実施形態の変形例において日照情報が表示されているディスプレイ８の他の一例を示す図である。図８に示されるように、対象領域は、扇形形状Ｓ５として表示されている。扇形形状Ｓ５の内部には、複数の地点について日照情報が表示されている。扇形形状Ｓ５は、スマートフォン１００の現在地（マークＰＰ）からマークＰＤが示す方向に広がっている。扇形形状Ｓ５は、スマートフォン１００の向きが変わった場合、スマートフォン１００の現在地を中心にスマートフォン１００の向きに合わせて回転する。扇形形状の内部は、図９の扇形形状Ｓ６に示されるように、複数の地点の日照に関する時間の平均値あるいは合計値に対応する色であってもよい。当該色は透過色であることが望ましい。
【００４５】
以上、第１の実施形態の変形例１によっても、対象領域に含まれる各地点の日照情報を表示することができる。その結果、ユーザは、ディスプレイ８に表示された日照情報を見ながら、自己のニーズに適した地点を探すことができる。
【００４６】
［第１の実施形態の変形例２］
第１の実施形態においては、対象領域に含まれる各地点の日照に関する時間をマークの色に反映させて表示する場合について説明した。以下では、日照に関する時間をマークの形に反映さえて表示する場合について説明する。
【００４７】
図１０は、第１の実施形態の変形例２において日照情報が表示されているディスプレイ８の一例を示す図である。図１０に示されるように、マーク情報ＧＵＩ１０３において、１日の日向時間が５時間以上である場合が「◎」（二重丸）として表示され、４〜５時間である場合が「○」（丸）として表示され、３〜４時間である場合が「△」（三角）、および３時間以下である場合が「×」（ばつ）として表示されている。ユーザは、マークの形状の違いによって、日照に関する時間の違いを知ることができる。
【００４８】
以上、第１の実施形態の変形例２によっても、対象領域に含まれる各地点の日照情報を表示することができる。その結果、ユーザは、ディスプレイ８に表示された日照情報を見ながら、自己のニーズに適した地点を探すことができる。
【００４９】
［第２の実施形態］
第１の実施形態においては、ユーザが自己の目的に合わせて時間帯を指定する場合について説明した。第１の実施形態においてはユーザの目的に特化した処理は行なわれない。第２の実施形態においては、ユーザが指定した目的に特化した処理が行なわれる場合について説明する。
【００５０】
第２の実施形態が第１の実施形態と異なるのは、メインＣＰＵ１によって行なわれる日照情報を表示する処理である。それ以外の構成については第１の実施形態と同様であるため、説明を繰り返さない。
【００５１】
図１１は、第２の実施形態においてメインＣＰＵ１によって行なわれる日照情報を表示する処理の一例を説明するためのフローチャートである。図１１に示されるように、メインＣＰＵ１は、ステップＳ２００において、ユーザに目的の選択を促す。ユーザが場所取りを選択した場合、メインＣＰＵ１は処理をＳ２１０に進める。場所取りは、たとえば花見あるいはバーベキューのような屋外でのイベントを行なうための場所を確保するために行なう。メインＣＰＵ１はＳ２１０においてユーザによって指定された場所および時間帯における日向時間を表示して処理を終了する。ユーザが年間日照を選択した場合、メインＣＰＵ１は処理をＳ２２０に進める。メインＣＰＵ１はＳ２２０においてユーザによって指定された場所における年間の日向時間を表示して処理を終了する。ユーザが部屋の日当りを選択した場合、メインＣＰＵ１は処理をＳ２３０に進める。メインＣＰＵ１はＳ２３０においてユーザによって指定された部屋の日向時間を表示して処理を終了する。
【００５２】
図１２は、ユーザが場所取りの目的を選択した場合に日照情報が表示されているディスプレイ８の一例を示す図である。図１２に示されるように、ディスプレイ８には、ユーザの現在地（スマートフォンの現在地）付近の、時間入力ＧＵＩ１０２に示される「ＥＥ月ＦＦ日Ｈ１：Ｍ１〜Ｈ２：Ｍ２」における日向時間が表示されている。日照情報が表示される対象地域は、川Ｒｖの河川敷Ｄｒにいるユーザの現在地を中心としたユーザが指定した半径の円の内部である。マーク情報ＧＵＩ１０３には、日向時間が０時間以上１時間未満を示すマーク、１時間以上３時間未満を示すマーク、３時間以上５時間未満を示すマークおよび５時間以上を示すマークがそれぞれ示されている。天気情報ＧＵＩ１０７には、当日の天気が表示されている。
【００５３】
図１３は、ユーザが場所取りの目的を選択した場合にメインＣＰＵ１によって行なわれる処理の流れの一例を説明するためのフローチャートである。図１３に示されるように、メインＣＰＵ１はＳ２１１において場所の選択をユーザに求める。ユーザが現在地を選択した場合、メインＣＰＵ１は処理をＳ２１４に進める。ユーザが場所の指定を選択した場合、メインＣＰＵ１はＳ２１２において場所の選択方法の指定をユーザに求める。ユーザが地図上での地点の指定を選択した場合、メインＣＰＵ１はＳ２１３においてユーザが指定した地図上の地点の情報を取得し、処理をＳ２１４に進める。メインＣＰＵ１はＳ２１４においてユーザが入力したイベントの開始時刻と終了時刻とを取得し、処理をＳ２１６に進める。メインＣＰＵ１はＳ２１６対象領域の範囲を特定する情報としてユーザが入力した半径を取得し、処理をＳ２１７に進める。メインＣＰＵ１はＳ２１７において外部のサーバからイベントが開催される時間帯の天気情報を取得し処理をＳ２１８に進める。メインＣＰＵ１はＳ２１８において３次元の地図情報、太陽の位置を表す情報、およびＳ２１７で取得した天気情報を用いて対象領域に含まれる各地点について日向時間を算出し、処理をＳ２１９に進める。メインＣＰＵ１はＳ２１９において対象領域に含まれる各地点に日向時間に応じたマークを表示し、処理を図１１に示される処理に戻す。第２の実施形態において、メインＣＰＵ１は、３次元の地図情報、太陽の位置を表す情報に加えてＳ２１７において取得した天気情報を用いて日向時間を算出するため、ユーザに指定された時間帯においてより精度の高い日向時間を算出することができる。
【００５４】
メインＣＰＵ１は、Ｓ２１２においてユーザがカレンダーアプリケーションを用いた指定を選択した場合、Ｓ２１５においてユーザがカレンダーアプリケーションを用いて指定した日付に登録されているイベントの開催場所、開始時刻、および終了時刻を取得し、処理をＳ２１６に進める。
【００５５】
図１４は、ユーザが年間日照の目的を選択した場合に日照情報が表示されているディスプレイ８の一例を示す図である。図１４に示されるように、ディスプレイ８には、ユーザの現在地（スマートフォンの現在地）付近の年間の日向時間が表示されている。日照情報が表示される対象地域は、川Ｒｖの河川敷Ｄｒにいるユーザの現在地を中心としたユーザが指定した半径の円の内部である。マーク情報ＧＵＩ１０３には、年間の日向時間が０時間以上５００時間未満を示すマーク、５００時間以上７５０時間未満を示すマーク、７５０時間以上１０００時間未満を示すマーク、および１０００時間以上を示すマークがそれぞれ示されている。天気情報ＧＵＩ１０７には、当日の天気が表示されている。
【００５６】
図１５は、ユーザが年間日照の目的を選択した場合にメインＣＰＵ１によって行なわれる処理の流れの一例を説明するためのフローチャートである。図１５に示されるように、メインＣＰＵ１は、Ｓ２２１において対象領域の中心地の選択をユーザに求める。ユーザが現在地を選択した場合、メインＣＰＵ１は処理をＳ２２３に進める。ユーザが場所の指定を選択した場合、メインＣＰＵ１はＳ２２２においてユーザが地図上で指定した地点の情報を取得し、処理をＳ２２３に進める。メインＣＰＵ１はＳ２２３において対象領域の範囲を決定する情報としてユーザが入力した半径を取得し、処理をＳ２２４に進める。メインＣＰＵ１はＳ２２４において対象領域に含まれる各地点について日向時間を算出し、処理をＳ２２５に進める。メインＣＰＵ１は、Ｓ２２５において対象領域に含まれる各地点に日向時間に応じたマークを表示し、処理を図１１に示される処理に戻す。
【００５７】
図１６は、ユーザが部屋の日当りの目的を選択した場合に日照情報が表示されているディスプレイ８の一例を示す図である。図１６に示されるように、ディスプレイ８には、住所「ＰＰＰ市ＱＱＱ町１−２３−４０５」で示される部屋における１日平均の日向時間が表示されている。マーク情報ＧＵＩ１０３には、１日平均の日向時間が０．５時間以上１時間未満を示すマーク、１時間以上３時間未満を示すマーク、３時間以上５時間未満を示すマーク、および５時間以上を示すマークがそれぞれ示されている。メインＣＰＵ１は、これらのマークのうち少なくとも一つの表示・非表示を、ユーザの入力に応じて切り替えてもよい。メインＣＰＵ１は、これらのマークのうち少なくとも一つの表示態様を、ユーザの入力に応じて変更してもよい。表示態様の変更する方法は、たとえば、マークの色を変更する方法、マークの大きさを変更する方法、およびマークの形状を変更する方法のうち少なくとも一つを含んでよい。メインＣＰＵ１は、住所「ＰＰＰ市ＱＱＱ町１−２３−４０５」で示される部屋における１日平均の日向時間が０．５未満（０を含む）である領域を強調して表示してよい。メインＣＰＵ１は、１日平均の日向時間が０．５未満（０を含む）である領域を強調するとき、図１６のマークのうち一部又は全部を非表示にしてよい。１日平均の日向時間が０．５未満（０を含む）である領域を強調する方法は、当該領域の色を目立つ色に変更する方法および当該領域内に合わせて所定の表示を追加する方法のうち少なくとも一つを含んでよい。上述したように、１日平均の日向時間が０．５未満（０を含む）である領域を強調することで、特別に日が当たらない場所を探したいようなユーザにとって利便性がよくなる。
【００５８】
図１７は、ユーザが部屋の日当りの目的を選択した場合にメインＣＰＵ１によって行なわれる処理の流れの一例を説明するためのフローチャートである。図１７に示されるように、メインＣＰＵ１はＳ２３１において場所の選択をユーザに求める。ユーザが現在地を選択した場合、メインＣＰＵ１は処理をＳ２３３に進める。ユーザが場所の指定を選択した場合、メインＣＰＵ１はＳ２３２においてユーザが地図上で指定した地点の情報を取得し、処理をＳ２３３に進める。メインＣＰＵ１はＳ２３３においてユーザが入力した部屋の間取りから屋の窓の位置など日向時間を算出するのに必要な情報を取得し、処理をＳ２３４に進める。対象領域の範囲を決定する情報としてユーザが入力した半径を取得し、処理をＳ２３４に進める。メインＣＰＵ１はＳ２３４において部屋に含まれる各地点について日向時間を算出し、処理をＳ２３５に進める。メインＣＰＵ１は、Ｓ２３５において部屋に含まれる各地点に日向時間に応じたマークを表示し、処理を図１１に示される処理に戻す。
【００５９】
以上、第２の実施形態によれば、対象領域に含まれる各地点の日照情報を表示することができる。その結果、ユーザは、ディスプレイ８に表示された日照情報を見ながら、自己のニーズに適した地点を探すことができる。
【００６０】
［実施の形態の変形例］
図１８は、変形例に係るスマートフォンの機能構成の一例を表わす機能ブロック図である。図１８に示されるように、スマートフォン１００Ａは、メインＣＰＵ１と、サブＣＰＵ２と、メモリ３とを備える。スマートフォン１００Ａは、その他の構成要素を装着可能に構成されている。スマートフォン１００Ａは、カメラ５と、マイク６と、スピーカ７と、ディスプレイ８と、タッチパネル９と、無線通信回路１０と、近距離通信回路１１と、ジャイロセンサ１２と、近接センサ１３と、照度センサ１４と、アンテナ１５と、バイブレータ１６と、加速度センサ１７と、地磁気センサ１８と、ＧＰＳセンサ１９とを装着することができる。これらの構成要素は、上記の実施形態で説明したものと同様の機能を有する。スマートフォン１００Ａは、これらの構成要素の一部または全部を装着することによって、第１または第２の実施形態と同様の効果が得られる。
【００６１】
今回開示された各実施の形態は、適宜組合わせて実施することも予定されている。今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【００６２】
１  メインＣＰＵ、２  サブＣＰＵ、３  メモリ、４  制御プログラム記憶部、５  カメラ、６  マイク、７  スピーカ、８  ディスプレイ、９  タッチパネル、１０  無線通信回路、１１  近距離通信回路、１２  ジャイロセンサ、１３  近接センサ、１４  照度センサ、１５  アンテナ、１６  バイブレータ、１７  加速度センサ、１８  地磁気センサ、１９  センサ、２０  制御部、１００，１００Ａ  スマートフォン。
【図１】
0006507118.tif 000002
【図２】
0006507118.tif 000003
【図３】
0006507118.tif 000004
【図４】
0006507118.tif 000005
【図５】
0006507118.tif 000006
【図６】
0006507118.tif 000007
【図７】
0006507118.tif 000008
【図８】
0006507118.tif 000009
【図９】
0006507118.tif 000010
【図１０】
0006507118.tif 000011
【図１１】
0006507118.tif 000012
【図１２】
0006507118.tif 000013
【図１３】
0006507118.tif 000014
【図１４】
0006507118.tif 000015
【図１５】
0006507118.tif 000016
【図１６】
0006507118.tif 000017
【図１７】
0006507118.tif 000018
【図１８】
0006507118.tif 000019